(57)【要約】【課題】本発明は、半導体装置および半導体装置の製造方法に関し、長寿命化および小型化が可能な半導体装置および半導体装置の製造方法を得ることを目的とする。【解決手段】本発明に係る半導体装置は、上面に金属パターンを有する基板と、該金属パターンの上に設けられた半導体チップと、該金属パターンとワイヤで接続された平板状の裏面電極端子と、該裏面電極端子の上方において該裏面電極端子と並行し、該半導体チップの直上まで伸び、該半導体チップの上面と直接接合された平板状の表面電極端子と、該基板を囲むケースと、該ケースの内部を封止する封止材と、を備える。【選択図】図１
2018182131.tif 000002
【特許請求の範囲】
【請求項１】
上面に金属パターンを有する基板と、
前記金属パターンの上に設けられた半導体チップと、
前記金属パターンとワイヤで接続された平板状の裏面電極端子と、
前記裏面電極端子の上方において前記裏面電極端子と並行し、前記半導体チップの直上まで伸び、前記半導体チップの上面と直接接合された平板状の表面電極端子と、
前記基板を囲むケースと、
前記ケースの内部を封止する封止材と、
を備えることを特徴とする半導体装置。
【請求項２】
前記裏面電極端子は、前記ケースと一体化され、
前記表面電極端子は、前記ケースの上に取り付けられることで前記裏面電極端子の上方に設けられることを特徴とする請求項１に記載の半導体装置。
【請求項３】
前記半導体チップを複数備え、
前記表面電極端子は、リードフレームを備え、
前記リードフレームは、前記複数の半導体チップの上面と接合されることを特徴とする請求項１または２に記載の半導体装置。
【請求項４】
前記ケースは、前記基板を隙間なく囲むことを特徴とする請求項１〜３の何れか１項に記載の半導体装置。
【請求項５】
前記半導体チップは、ワイドバンドギャップ半導体によって形成されることを特徴とする請求項１〜４の何れか１項に記載の半導体装置。
【請求項６】
前記半導体チップは、スイッチング素子とダイオードとを備え、
前記スイッチング素子と前記ダイオードの一方はワイドバンドギャップ半導体によって形成されることを特徴とする請求項１〜４の何れか１項に記載の半導体装置。
【請求項７】
前記ワイドバンドギャップ半導体は、炭化珪素、窒化ガリウム系材料またはダイヤモンドであることを特徴とする請求項５または６に記載の半導体装置。
【請求項８】
基板の上面に設けられた金属パターンの上に半導体チップを搭載する工程と、
前記基板を囲むケースと、平板状の裏面電極端子と、を設ける工程と、
前記裏面電極端子と前記金属パターンとをワイヤで接続するワイヤボンド工程と、
前記裏面電極端子と並行し前記半導体チップの直上まで伸びる平板状の表面電極端子を、前記裏面電極端子の上方に設け、前記表面電極端子と前記半導体チップの上面とを直接接合する工程と、
ワイヤボンド工程よりも後に、前記ケースの内部を封止材で封止する封止工程と、
を備えることを特徴とする半導体装置の製造方法。
【請求項９】
前記ケースと前記裏面電極端子とは一体成形され、
前記表面電極端子を前記ケースの上に取り付けることで、前記表面電極端子は前記裏面電極端子の上方に設けられることを特徴とする請求項８に記載の半導体装置の製造方法。
【請求項１０】
前記封止工程よりも後に、前記表面電極端子を前記裏面電極端子の上方に設けることを特徴とする請求項８または９に記載の半導体装置の製造方法。
【発明の詳細な説明】
【技術分野】
【０００１】
本発明は、半導体装置および半導体装置の製造方法に関する。
【背景技術】
【０００２】
特許文献１では、外部電極からパワーデバイスチップに通電する手法として、ワイヤボンドが採用されている。ワイヤボンドでは、ワイヤを用いてパワーデバイスの電極部と外部電極とを接続する。
【先行技術文献】
【特許文献】
【０００３】
【特許文献１】特開２００３−２２４２４３号公報
【発明の概要】
【発明が解決しようとする課題】
【０００４】
一般に、パワーデバイスチップにおいて電流バランスによる冷熱サイクルによって、ワイヤの接合部がストレスを受ける。また、接合部の長寿命化を実現するために、パッケージの大型化または高コスト化を招く場合がある。このため、特に、複数のパワーデバイスチップを有する大容量モジュールでは、安価かつ小型であり、長寿命化が可能なパッケージを得ることが課題となる。
【０００５】
本発明は、上述の課題を解決するためになされたもので、長寿命化および小型化が可能な半導体装置および半導体装置の製造方法を得ることを目的とする。
【課題を解決するための手段】
【０００６】
本発明に係る半導体装置は、上面に金属パターンを有する基板と、該金属パターンの上に設けられた半導体チップと、該金属パターンとワイヤで接続された平板状の裏面電極端子と、該裏面電極端子の上方において該裏面電極端子と並行し、該半導体チップの直上まで伸び、該半導体チップの上面と直接接合された平板状の表面電極端子と、該基板を囲むケースと、該ケースの内部を封止する封止材と、を備える。
【０００７】
本発明に係る半導体装置の製造方法は、基板の上面に設けられた金属パターンの上に半導体チップを搭載する工程と、該基板を囲むケースと、平板状の裏面電極端子と、を設ける工程と、該裏面電極端子と該金属パターンとをワイヤで接続するワイヤボンド工程と、該裏面電極端子と並行し該半導体チップの直上まで伸びる平板状の表面電極端子を、該裏面電極端子の上方に設け、該表面電極端子と該半導体チップの上面とを直接接合する工程と、ワイヤボンド工程よりも後に、該ケースの内部を封止材で封止する封止工程と、を備える。
【発明の効果】
【０００８】
本発明に係る半導体装置では、表面電極端子が半導体チップの上面と直接接合される。このため、ワイヤによる接続と比較して、表面電極端子と半導体チップとの接合部の熱サイクルストレスに対する耐性を高めることができる。また、一般に表面電極端子側と比較して低温となる裏面電極端子をワイヤで接続することにより、裏面電極端子を半導体チップと直接接合する場合と比較して半導体装置を小型化できる。従って、半導体装置を長寿命化および小型化できる。
本発明に係る半導体装置の製造方法では、表面電極端子が半導体チップの上面と直接接合される。このため、ワイヤによる接続と比較して、表面電極端子と半導体チップとの接合部の熱サイクルストレスに対する耐性を高めることができる。また、一般に表面電極端子側と比較して低温となる裏面電極端子をワイヤで接続することにより、裏面電極端子を半導体チップと直接接合する場合と比較して半導体装置を小型化できる。従って、半導体装置を長寿命化および小型化できる。
【図面の簡単な説明】
【０００９】
【図１】実施の形態１に係る半導体装置の断面図である。
【図２】実施の形態１に係る半導体装置の製造方法を示すフローチャートである。
【図３】比較例に係る半導体装置の断面図である。
【図４】実施の形態２に係る半導体装置の断面図である。
【図５】実施の形態２に係る半導体装置の製造方法を示すフローチャートである。
【図６】実施の形態２の変形例に係る半導体装置の製造方法を示すフローチャートである。
【図７】実施の形態３に係る半導体装置の断面図である。
【発明を実施するための形態】
【００１０】
本発明の実施の形態に係る半導体装置および半導体装置の製造方法について図面を参照して説明する。同じ又は対応する構成要素には同じ符号を付し、説明の繰り返しを省略する場合がある。
【００１１】
実施の形態１．
図１は、実施の形態１に係る半導体装置１００の断面図である。半導体装置１００は、ベース板１０を備える。ベース板１０は、銅またはアルミ等から形成される。ベース板１０の上には基板１６が設けられる。基板１６の裏面には金属パターン１８が設けられる。基板１６は金属パターン１８を介してはんだ１４によりベース板１０に接合されている。基板１６は上面に金属パターン２０を有する。基板１６および金属パターン１８、２０は絶縁基板を構成する。
【００１２】
半導体装置１００は複数の半導体チップ２２を備える。複数の半導体チップ２２は、スイッチング素子とダイオードとを含む。本実施の形態ではスイッチング素子はＩＧＢＴ（Ｉｎｓｕｌａｔｅｄ  Ｇａｔｅ  Ｂｉｐｏｌａｒ  Ｔｒａｎｓｉｓｔｏｒ）である。複数の半導体チップ２２は、金属パターン２０の上に設けられる。半導体装置１００が備える半導体チップ２２の数は１つ以上であれば良い。また、１つの半導体チップ２２にスイッチング素子とダイオードが設けられていても良い。各々の半導体チップ２２ははんだ２４によって金属パターン２０と接合されている。
【００１３】
ベース板１０の上には、ケース２６が設けられる。ケース２６はベース板１０の外周部に設けられる。基板１６はケース２６に囲まれている。ケース２６は樹脂から形成される。
【００１４】
半導体装置１００は裏面電極端子２８を備える。裏面電極端子２８はケース２６に埋め込まれている。裏面電極端子２８は平板状である。裏面電極端子２８は、基板１６の上面と平行に伸びる水平部３９を備える。水平部３９の一端は、ケース２６から露出する。水平部３９の一端は、基板１６の端部に隣接して設けられる。裏面電極端子２８は、水平部３９の一端において、金属パターン２０とワイヤ３０で接続される。ワイヤ３０は銅またはアルミ等から形成される。
【００１５】
水平部３９の他端からは、基板１６の上面と垂直な垂直部３８が伸びる。垂直部３８の上端は、ケース２６から露出する。垂直部３８の上端には外部接続部４０が設けられる。外部接続部４０は外部の装置と裏面電極端子２８とを接続するための部分である。
【００１６】
ケース２６の裏面電極端子２８が設けられる側には、基板１６の上面と平行に伸びる台座部分２７が設けられる。台座部分２７は、裏面電極端子２８の水平部３９の一部を覆う。台座部分２７の上には表面電極端子３２が設けられる。表面電極端子３２は平板状である。表面電極端子３２は、裏面電極端子２８の上方において裏面電極端子２８と並行する。
【００１７】
表面電極端子３２は、基板１６の上面と平行に伸びる水平部４３を備える。表面電極端子３２の水平部４３は、半導体チップ２２の直上まで伸びる。表面電極端子３２は、半導体チップ２２の上面と、はんだ３４によって直接接合される。水平部４３の半導体チップ２２と反対側の端部からは、基板１６の上面と垂直な垂直部４２が伸びる。垂直部４２はケース２６に埋め込まれている。垂直部４２の上端は、ケース２６から露出する。垂直部４２の上端は、外部の装置と接続される。また、水平部４３は、ケース２６から露出している。
【００１８】
表面電極端子３２はリードフレームを備える。リードフレームは、複数の半導体チップ２２の上面と接合される。つまり、１つの表面電極端子３２により複数の半導体チップ２２の上面に対して通電している。
【００１９】
表面電極端子３２と裏面電極端子２８は、半導体装置１００の主端子電極を構成する。主端子電極は並行平板構造を備える。裏面電極端子２８およびワイヤ３０は、表面電極端子３２に覆われる。
【００２０】
ケース２６の内部は封止材４４によって封止される。封止材４４は絶縁材とも呼ばれる。基板１６、金属パターン２０、半導体チップ２２、裏面電極端子２８および表面電極端子３２は、封止材４４に封止される。封止材４４は、例えば、ゲルまたは樹脂である。ここで、半導体チップ２２がシリコンまたはシリコンカーバイトから形成されるパワーデバイスチップである場合、リードフレームとの間の線膨脹差が大きくなる場合がある。線膨脹差により発生する熱応力を分散するために、封止材４４としてゲルよりも硬い樹脂を採用することが望ましい。これにより、信頼性を向上できる。
【００２１】
ケース２６の上には、フタ４６が設けられる。フタ４６によって、ケース２６に囲まれた領域は塞がれる。ケース２６のフタ４６が設けられる部分は、フタ４６の厚さの分だけ低く形成されている。これにより、フタ４６の上面の高さと、ケース２６のフタ４６が設けられない部分の高さを揃えることができる。なお、外部接続部４０はフタ４６の上まで伸びる。
【００２２】
次に、本実施の形態に係る半導体装置１００の製造方法を説明する。図２は、実施の形態１に係る半導体装置１００の製造方法を示すフローチャートである。まず、基板１６の上面に設けられた金属パターン２０の上に半導体チップ２２を搭載する。ここで、金属パターン２０上に予めはんだ２４を設けておく。これにより、はんだ２４によって金属パターン２０と半導体チップ２２とが接合される。従って、ＩＧＢＴおよびダイオードを含む複数の半導体チップ２２が基板１６に搭載される。次に、半導体チップ２２の上にはんだ３４を設ける。はんだ３４は予め半導体チップ２２に搭載されていても良い。
【００２３】
次に、ベース板１０に基板１６を搭載する。ここで、予めはんだ１４をベース板１０上に搭載しておく。これにより、はんだ１４によってベース板１０と基板１６とが接合される。ここで、ベース板１０に基板１６を搭載した後に、基板１６に半導体チップ２２を搭載しても良い。
【００２４】
次に、ベース板１０にケース２６を搭載する。ここで、予め裏面電極端子２８、表面電極端子３２およびケース２６を一体化させておく。このとき、表面電極端子３２が裏面電極端子２８の上方に設けられるように、裏面電極端子２８、表面電極端子３２およびケース２６を形成する。このため、ベース板１０にケース２６を搭載する工程により、半導体装置１００にケース２６、表面電極端子３２および裏面電極端子２８が設けられる。
【００２５】
ここで、表面電極端子３２は、ケース２６と一体化されていなくても良い。この場合、後述するワイヤボンド工程の後に、ケース２６の上に表面電極端子３２を設けても良い。また、本実施の形態では、裏面電極端子２８はケース２６に埋め込まれているが、これに限らず、裏面電極端子２８は例えば台座部分２７の上に設けられても良い。
【００２６】
次に、ワイヤボンド工程を実施する。ワイヤボンド工程では、裏面電極端子２８と金属パターン２０とをワイヤ３０で接続する。ワイヤボンド工程において、さらに、半導体チップ２２と半導体装置１００の端子との間、半導体チップ２２と半導体チップ２２との間、半導体チップ２２と金属パターン２０との間をワイヤまたはリードフレームで接続するものとしても良い。次に、表面電極端子３２と半導体チップ２２の上面とをはんだ３４で直接接合する。
【００２７】
次に、封止工程を実施する。封止工程では、ケース２６の内部に封止材４４を注入し、封止する。次に、封止材４４を硬化させる。この工程は、キュアとも呼ばれる。次に、フタ４６を取り付ける。以上で、本実施の形態に係る半導体装置１００の製造工程が終了する。
【００２８】
図３は、比較例に係る半導体装置２００の断面図である。半導体装置２００は、表面電極端子２３２の構造が半導体装置１００と異なる。表面電極端子２３２は、半導体チップ２２の上面とワイヤ２４８によって接続される。半導体装置２００では、上下に重なった２段のワイヤ３０、２４８が形成されている。この構造によれば、上段のワイヤ２４８のワイヤ長は、ワイヤ３０よりも長くなる。このため、ワイヤ２４８の抵抗およびインダクタンス成分が大きくなる。従って、ワイヤ２４８の接合部は、半導体チップ２２のＯＮ／ＯＦＦの繰り返しによる熱ストレスの影響を大きく受ける可能性がある。このため、ワイヤ２４８の接合部の寿命が短くなり、半導体装置２００の機能が停止する可能性がある。
【００２９】
これに対し、本実施の形態では、半導体チップ２２上に表面電極端子３２をはんだ接合する。このため、接合部の熱ストレスに対する耐性を、ワイヤ２４８で接続する場合よりも向上できる。また、裏面電極端子２８と金属パターン２０との間の接続にワイヤボンディングを採用することで、裏面電極端子２８と金属パターン２０とをリードフレームで接続する場合と比較して、パッケージを小型化できる。
【００３０】
ここで、一般に、裏面電極端子２８と金属パターン２０を接続するワイヤボンディング部分は、表面電極端子３２側と比較して低温となる。このため、裏面電極端子２８側をワイヤ３０で接続し、高温となり易い表面電極端子３２を半導体チップ２２と直接接合することで、信頼性を確保しつつパッケージを小型化できる。従って、本実施の形態では、半導体装置１００の長寿命化および小型化が可能となる。
【００３１】
また、裏面電極端子２８と金属パターン２０とをワイヤ３０で接続することで、裏面電極端子２８と金属パターン２０とをリードフレームで接続する場合と比較して、半導体装置１００の製造コストを低減できる。従って、本実施の形態では接合部の信頼性を確保しつつ、半導体装置１００を安価で製造できる。
【００３２】
また、裏面電極端子２８と金属パターン２０とをワイヤ３０で接続することで、裏面電極端子２８と金属パターン２０をリードフレームで接続する場合と比較して、表面電極端子３２の下の隙間を大きく確保できる。このため、封止材４４を回り込み易くできる。従って、ケース２６の内部を確実に封止できる。
【００３３】
また、表面電極端子３２と裏面電極端子２８とは平板状であり、互いに並行する。この構造では、電流の変動に伴い表面電極端子３２および裏面電極端子２８において発生する磁束が、互いに打ち消しあうこととなる。このため、半導体装置１００において発生する磁束を抑制できる。従って、半導体装置１００のインダクタンスを低減できる。このため、半導体装置１００で発生する熱ストレスを抑制できる。また、半導体装置１００において高速のスイッチングが可能となる。
【００３４】
また、比較例に係る半導体装置２００では、複数の半導体チップ２２と複数の表面電極端子２３２との間を複数のワイヤで接続することとなる。これに対し、本実施の形態では、１つのリードフレームが複数の半導体チップ２２と直接接続される。つまり、複数のワイヤおよび複数の表面電極端子２３２を１つのリードフレームに置き換えることができる。従って、半導体装置１００を容易に製造できる。
【００３５】
本実施の形態の変形例として、半導体チップ２２はワイドバンドギャップ半導体によって形成されても良い。ワイドバンドギャップ半導体は、例えば、炭化珪素、窒化ガリウム系材料またはダイヤモンドである。ワイドバンドギャップ半導体により半導体チップ２２を形成することで、半導体チップ２２の耐電圧性および許容電流密度を向上できる。このため、半導体チップ２２を小型化できる。従って、半導体装置１００をさらに小型化できる。
【００３６】
また、ワイドバンドギャップ半導体により半導体チップ２２を形成することで、半導体チップ２２の電力損失を低減できる。このため、半導体チップ２２を高効率化できる。従って、半導体装置１００を高効率化できる。また、この変形例として、複数の半導体チップ２２のうち、スイッチング素子とダイオードの一方が、ワイドバンドギャップ半導体によって形成されていても良い。この場合も、半導体装置１００と小型化と高効率化の効果を得ることができる。
【００３７】
これらの変形は以下の実施の形態に係る半導体装置および半導体装置の製造方法について適宜応用することができる。なお、以下の実施の形態に係る半導体装置および半導体装置の製造方法については実施の形態１との共通点が多いので、実施の形態１との相違点を中心に説明する。
【００３８】
実施の形態２．
図４は実施の形態２に係る半導体装置３００の断面図である。半導体装置３００において、裏面電極端子２８は、ケース３２６と一体化されている。また、表面電極端子３２はケース３２６および裏面電極端子２８とは別に設けられる。表面電極端子３２は、ケース３２６の上に取り付けられる。これにより、表面電極端子３２は裏面電極端子２８の上方に設けられる。図４は、表面電極端子３２がケース３２６から取り外された状態を示す。また、図４において、便宜上、封止材４４およびフタ４６は省略されている。
【００３９】
表面電極端子３２の垂直部４２の一部は樹脂部３３６に覆われる。表面電極端子３２と樹脂部３３６は一体化されている。樹脂部３３６は、ねじまたはプレスフィット等により、ケース３２６に嵌合される。これにより、表面電極端子３２は、ケース３２６の上に取り付けられる。つまり、樹脂部３３６および表面電極端子３２は、ケース３２６にアウトサートされる。
【００４０】
次に、本実施の形態に係る半導体装置３００の製造方法を説明する。図５は、実施の形態２に係る半導体装置３００の製造方法を示すフローチャートである。まず、ケース３２６と裏面電極端子２８とを一体成形する。本実施の形態では、インサート成形により、ケース３２６と裏面電極端子２８とを形成する。インサート成形では、金型に裏面電極端子２８をインサートした状態で、金型に樹脂を注入する。その後、樹脂を固化させることで、ケース３２６を裏面電極端子２８と一体化させ成形する。
【００４１】
同様に、樹脂部３３６と表面電極端子３２とを一体成形する。ケース３２６と裏面電極端子２８の成形方法は、インサート成形に限らず、ケース３２６と裏面電極端子２８とを一体化できれば良い。また、樹脂部３３６と表面電極端子３２の成形方法は、インサート成形に限らず、樹脂部３３６と表面電極端子３２とを一体化できれば良い。
【００４２】
次に、実施の形態１と同様に、基板１６に半導体チップ２２を搭載する。次に、実施の形態１と同様に、ベース板１０に基板１６を搭載する。次に、ベース板１０にケース３２６を搭載する。ここで、裏面電極端子２８とケース２６とは一体化されているため、この工程により半導体装置１００にケース２６および裏面電極端子２８が設けられる。
【００４３】
次に、ワイヤボンド工程を実施し、裏面電極端子２８と金属パターン２０とをワイヤ３０で接続する。次に、ケース３２６に表面電極端子３２をアウトサートする。このとき、製造工程内で樹脂部３３６をケース３２６に嵌合する。これにより、表面電極端子３２は、ケース３２６に取り付けられる。この変形例として、表面電極端子３２を直接ケース３２６に取り付けても良い。表面電極端子３２をケース３２６の上に取り付けることで、表面電極端子３２は裏面電極端子２８の上方に設けられる。
【００４４】
次に、表面電極端子３２と半導体チップ２２の上面とをはんだ３４で直接接合する。次に、実施の形態１と同様に封止工程を実施する。その後、フタ４６をケース３２６に取り付ける。以上で、本実施の形態に係る半導体装置３００の製造工程が終了する。
【００４５】
本実施の形態では、表面電極端子３２がケース３２６と別に設けられる。このため、ワイヤボンド工程の後に、製造工程内でケース３２６の上に表面電極端子３２を取り付けることができる。このため、実施の形態１と比較してワイヤボンド工程が容易になる。
【００４６】
図６は、実施の形態２の変形例に係る半導体装置３００の製造方法を示すフローチャートである。実施の形態２では、表面電極端子３２と半導体チップ２２を接合したあとに、封止工程を実施した。封止工程はこれに限らず、ワイヤボンド工程よりも後に実施されれば良い。例えば、図６に示すように、封止工程よりも後に、表面電極端子３２を裏面電極端子２８の上方に設けても良い。
【００４７】
変形例に係る半導体装置３００の製造方法では、ワイヤボンド工程の後に封止工程が実施される。封止工程では、半導体チップ２２の上面が露出する高さまで封止材４４が形成される。封止工程の後に、ケース３２６に表面電極端子３２をアウトサートする。その後、表面電極端子３２と半導体チップ２２とを接合する。
【００４８】
変形例において、表面電極端子３２が搭載されていない状態で封止工程が実施される。このため、表面電極端子３２よりも下のスペースにおいて、封止材４４を回り易くできる。つまり、封止材４４と部品との間に生じる隙間を抑制して封止材４４を充填できる。これにより、半導体装置３００の信頼性を向上できる。また、本変形例において表面電極端子３２と半導体チップ２２とを接合した後に、さらにケース３２６内を封止材４４で充填しても良い。
【００４９】
実施の形態３．
図７は、実施の形態３に係る半導体装置４００の断面図である。半導体装置４００は、ベース板１０とはんだ１４を備えない。本実施の形態に係る基板４１６は、ベース板をかねる構造を備える。基板４１６の裏面には金属パターン４１８が設けられる。基板４１６の上面には金属パターン４２０が設けられる。基板４１６および金属パターン４１８、４２０は絶縁基板を構成する。
【００５０】
ケース４２６は基板４１６を隙間なく囲む。ケース４２６は、基板４１６の側面および金属パターン４１８と接触して設けられる。これにより、ベース板１０を設けなくても、ケース４２６と基板４１６からパッケージを構成できる。従って、半導体装置４００の構造を簡略化できる。また、半導体装置４００をさらに小型化できる。
【００５１】
なお、各実施の形態で説明した技術的特徴は適宜に組み合わせて用いてもよい。
【符号の説明】
【００５２】
１００、３００、４００  半導体装置、１６、４１６  基板、２０、４２０  金属パターン、２２  半導体チップ、２８  裏面電極端子、３０  ワイヤ、３２  表面電極端子、２６、３２６、４２６  ケース、４４  封止材
【図１】
2018182131.tif 000003
【図２】
2018182131.tif 000004
【図３】
2018182131.tif 000005
【図４】
2018182131.tif 000006
【図５】
2018182131.tif 000007
【図６】
2018182131.tif 000008
【図７】
2018182131.tif 000009